(57)【要約】【課題】筒状部材の中間部分に形成されたガイドスリットにスライド片が係合する構成を、その他に部品を何ら用いることなく良好に作動するものにすることができ、シンプルな構成で簡単に組み立てることができて組み立て後の故障のおそれのない心臓カテーテルを提供すること。【解決手段】筒状部材８，８′に、スライド片１５，１２′が係合するガイドスリット２５が形成されて、スライド片１５，１２′が通過できない幅であって筒状部材８，８′を弾性変形させることによりスライド片１５，１２′が通過できる状態に広がる幅狭部２６がガイドスリット２５に対し長手方向に連続して形成されると共に、スライド片１５，１２′を幅狭部２６内にガイドスリット２５の反対側から案内するための案内路２７が端部まで開口して形成されている。【選択図】図１
2008104831.tif 000002
【特許請求の範囲】
【請求項１】
可撓性を有する細長いカテーテル本体内に操作ワイヤーが内挿され、手元側に設けられた操作ハンドル部において、前記操作ワイヤーの基端を前記カテーテル本体の基端に対して軸方向に進退操作することにより、前記カテーテル本体の先端近傍部分を屈曲させることができるように構成された心臓カテーテルにおいて、
前記操作ハンドル部において、前記操作ワイヤーの基端と前記カテーテル本体の基端の一方に筒状部材が連結されると共に、その筒状部材の中間部分に形成されたガイドスリットに沿って相対的にスライド自在なスライド片が他方に連結され、
前記筒状部材には、前記スライド片が通過できない幅であって前記筒状部材を弾性変形させることにより前記スライド片が通過できる状態に広がる幅狭部が前記ガイドスリットに対し長手方向に連続して形成されると共に、前記スライド片を前記幅狭部内に前記ガイドスリットの反対側から案内するための案内路が端部まで開口して形成されていることを特徴とする心臓カテーテル。
【請求項２】
請求項１記載の心臓カテーテルにおいて、前記ガイドスリットが前記筒状部材の複数箇所に並列に形成され、それに対応して前記幅狭部と前記案内路が形成されている心臓カテーテル。
【請求項３】
請求項２記載の心臓カテーテルにおいて、前記ガイドスリットが前記筒状部材の軸周りの１８０°対称位置に一対形成されている心臓カテーテル。
【請求項４】
請求項３記載の心臓カテーテルにおいて、前記スライド片が全体として略板状に形成されて、その両端寄りの部分が前記ガイドスリット内に緩く通されている心臓カテーテル。
【請求項５】
請求項４記載の心臓カテーテルにおいて、前記スライド片の前記ガイドスリットと係合する部分の内側に隣接する部分に、前記ガイドスリット内に入ることのできない高さの段部が形成されている心臓カテーテル。
【請求項６】
請求項１から５の何れかに記載の心臓カテーテルにおいて、前記筒状部材に前記カテーテル本体の基端が連結されて、前記スライド片に前記操作ワイヤーの基端が連結され、前記案内路が前記筒状部材の後端側に開口している心臓カテーテル。
【請求項７】
請求項１から５の何れかに記載の心臓カテーテルにおいて、前記筒状部材に前記カテーテル本体の基端が連結されて、前記スライド片に前記操作ワイヤーの基端が連結され、前記案内路が前記筒状部材の先端側に開口している心臓カテーテル。
【請求項８】
請求項１から５の何れかに記載の心臓カテーテルにおいて、前記筒状部材に前記操作ワイヤーの基端が連結されて、前記スライド片に前記カテーテル本体の基端が連結され、前記案内路が前記筒状部材の先端側に開口している心臓カテーテル。
【発明の詳細な説明】
【技術分野】
【０００１】  本発明は、心臓カテーテルに関する。
【背景技術】
【０００２】  血管から心臓内に挿入される心臓カテーテルは、可撓性を有する細長いカテーテル本体の先端に設けられた先端電極を心臓内の目的部位に誘導する必要がある。そこで、カテーテル本体に内挿された操作ワイヤーを手元側の操作ハンドル部で牽引操作することにより、カテーテル本体の先端近傍部分を任意に屈曲させることができるようになっている。
そして、操作ハンドル部においては、操作ワイヤーの基端とカテーテル本体の基端の一方に筒状部材が連結されて、他方に連結されたスライド片が、筒状部材の中間部分に軸方向に形成されたガイドスリットに沿って相対的にスライド自在に設けられている（例えば、特許文献１、２）。
【特許文献１】  特開２００４−１６７２４８号公報
【特許文献２】  特表平１０−５０７６７８号公報
【発明の開示】
【発明が解決しようとする課題】
【０００３】  上述のように、筒状部材の中間部分に軸方向に形成されたガイドスリットにスライド片を係合させた構成は、構成部品が比較的少なくて作動性もよい等の長所がある。しかし、スライド片がスリット内から外れないようにするためのストッパ部材等をねじ止めその他の手段で取り付ける必要があるので、そのための部品が必要になってその組み立てに手間がかかる。また、使用を重ねた時に、ねじ緩みによる故障等が発生する場合があり、ユーザーサイドでの修理は困難になる。【０００４】  本発明はそのような問題を解決するためになされたものであり、筒状部材の中間部分に形成されたガイドスリットにスライド片が係合する構成を、その他に部品を何ら用いることなく良好に作動するものにすることができ、シンプルな構成で簡単に組み立てることができて組み立て後の故障のおそれのない心臓カテーテルを提供することを目的とする。
【課題を解決するための手段】
【０００５】  可撓性を有する細長いカテーテル本体内に操作ワイヤーが内挿され、手元側に設けられた操作ハンドル部において、操作ワイヤーの基端をカテーテル本体の基端に対して軸方向に進退操作することにより、カテーテル本体の先端近傍部分を屈曲させることができるように構成された心臓カテーテルにおいて、操作ハンドル部において、操作ワイヤーの基端とカテーテル本体の基端の一方に筒状部材が連結されると共に、その筒状部材の中間部分に形成されたガイドスリットに沿って相対的にスライド自在なスライド片が他方に連結され、筒状部材には、スライド片が通過できない幅であって筒状部材を弾性変形させることによりスライド片が通過できる状態に広がる幅狭部がガイドスリットに対し長手方向に連続して形成されると共に、スライド片を幅狭部内にガイドスリットの反対側から案内するための案内路が端部まで開口して形成されている。【０００６】  なお、ガイドスリットが筒状部材の複数箇所に並列に形成され、それに対応して幅狭部と案内路が形成されていてもよく、ガイドスリットが筒状部材の軸周りの１８０°対称位置に一対形成されていてもよい。
また、スライド片が全体として略板状に形成されて、その両端寄りの部分がガイドスリット内に緩く通されていてもよく、スライド片のガイドスリットと係合する部分の内側に隣接する部分に、ガイドスリット内に入ることのできない高さの段部が形成されていてもよい。【０００７】  また、筒状部材にカテーテル本体の基端が連結されて、スライド片に操作ワイヤーの基端が連結され、案内路が筒状部材の後端側に開口していてもよく、或いは、筒状部材にカテーテル本体の基端が連結されて、スライド片に操作ワイヤーの基端が連結され、案内路が筒状部材の先端側に開口していてもよい。また、筒状部材に操作ワイヤーの基端が連結されて、スライド片にカテーテル本体の基端が連結され、案内路が筒状部材の先端側に開口していてもよい。
【発明の効果】
【０００８】  本発明の心臓カテーテルによれば、筒状部材に、スライド片が通過できない幅であって筒状部材を弾性変形させることによりスライド片が通過できる状態に広がる幅狭部がガイドスリットに対し長手方向に連続して形成されると共に、スライド片を幅狭部内にガイドスリットの反対側から案内するための案内路が端部まで開口して形成されていることにより、筒状部材の中間部分に形成されたガイドスリットにスライド片が係合する構成を、その他に部品を何ら用いることなく良好に作動するものにすることができ、シンプルな構成で簡単に組み立てることができて組み立て後の故障のおそれのない等の優れた効果を奏する。
【発明を実施するための最良の形態】
【０００９】  以下、図面を参照して本発明の実施の形態を具体的に説明する。
図３は、本発明の第１の実施の形態の心臓カテーテルの全体構成を示している。可撓性を有する細長いカテーテル本体１は血管内に通されるものであり、合成樹脂材等からなるマルチルーメンチューブ等で形成されている。カテーテル本体１の先端近傍部分に形成された湾曲部２は、より柔軟に形成されていて、その先端に先端電極部３が連結されている。４は、湾曲部２を屈曲操作するためにカテーテル本体１に進退自在に内挿された操作ワイヤーであり、その先端が湾曲部２の先端部分（又は、それより先端寄りの位置）の周辺に偏位した位置に連結されている。【００１０】  心臓カテーテルの手元側に設けられた操作ハンドル部５には、カテーテル本体１の基端に連結されたカテーテル本体保持ハンドル６と操作ワイヤー４の基端に連結された操作ワイヤー保持ハンドル７とが操作ワイヤー４の軸方向に相対的にスライド自在に配置されている。操作ワイヤー保持ハンドル７は使用者が手で握り込むのに適した略円筒形状に形成され、カテーテル本体保持ハンドル６は、操作ワイヤー保持ハンドル７を握った手の親指の腹で押し引き操作し易いように厚肉の略円盤状に形成されて、操作ワイヤー保持ハンドル７の先端近傍から前方（図３において下方）に突出する状態に配置されている。【００１１】  ８は、カテーテル本体保持ハンドル６に対して一体に形成されたスライド筒部（本発明の筒状部材）であり、操作ワイヤー保持ハンドル７内にスライド自在に嵌合している。９は、操作ワイヤー４の基端に固着されたワイヤー留め口金であり、操作ワイヤー保持ハンドル７の中心軸位置付近に配置されて操作ワイヤー保持ハンドル７に対し後述するワイヤー固定板１５を介して固定されている。１０は、カテーテル本体１の基端部分がカテーテル本体保持ハンドル６との連結部付近で急激に曲がって折れるのを防ぐための折れ止め部材であり、弾力性のあるゴム材等により先細りのテーパ状に形成され、カテーテル本体保持ハンドル６に隣接してカテーテル本体１の基端部分を囲む状態に配置されている。【００１２】  図４は、操作ハンドル部５からの遠隔操作で湾曲部２を屈曲させている状態を示しており、カテーテル本体保持ハンドル６に対して操作ワイヤー保持ハンドル７を後方（上方）に引く（操作ワイヤー保持ハンドル７側から見れば、カテーテル本体保持ハンドル６を前方（下方）に押し出す）操作を行うことにより、カテーテル本体１に対して操作ワイヤー４が後方に牽引されて湾曲部２が屈曲する。そして、それと逆の操作を行えば、湾曲部２が図３に示される真っ直ぐな状態に戻る。このようにして、操作ハンドル部５において、カテーテル本体保持ハンドル６と操作ワイヤー保持ハンドル７とを操作ワイヤー４の軸方向に相対的にスライド操作することにより、湾曲部２を任意の角度だけ屈曲させることができる。【００１３】  図５は、湾曲部２が真っ直ぐな状態における操作ハンドル部５を示している。なお、図５を含めて以下の各図において一つの部品として図示されている各部材は、部品製造を容易にするため、組み立てをし易くするため、或いは本発明の内容とは関係のない機能を発揮させるため等に、各々複数の部品に分けて構成することができ、そのように構成したとしても本発明の範���に属することに何ら変わりがない。【００１４】  １２は、カテーテル本体１の基端部分が嵌挿されて接着剤等で強固に固着されたスライドねじ部材であり、その先寄りの部分の外周面には雄ねじが形成され、スライドねじ部材１２の基端に形成されたワイヤー通過孔１３から操作ワイヤー４が真っ直ぐにスライド筒部８内に伸び出している。１４は、操作ワイヤー４とは別にカテーテル本体１内に通されて先端電極部３の各電極に接続されたリード線であり、操作ワイヤー４と並んでワイヤー通過孔１３からスライド筒部８内に伸び出しているが、大半の部分の図示を省略してある。【００１５】  図６は、図５におけるＡ−Ａ線で切断した状態の断面図であり、操作ワイヤー４の基端にハンダ付け等で固着されたワイヤー留め口金９が、操作ワイヤー保持ハンドル７の内周面に形成された溝に嵌め込まれて固定された略平板状のワイヤー固定板１５（本発明のスライド片）にかしめ又はハンダ付け等で固着されている。したがって、操作ワイヤー４はワイヤー固定板１５を介して操作ワイヤー保持ハンドル７の軸位置に動かないように固定された状態になっている。なお、図６においてはリード線１４等の図示が省略されている。図５に示される符合２９は、操作ワイヤー保持ハンドル７に対してワイヤー固定板１５が軸方向に移動するを規制するストッパ筒である。【００１６】  図７は、図５におけるＢ−Ｂ線で切断した状態の断面図であり、スライドねじ部材１２の中間部分は円筒状にスライド筒部８の内周部に緩く嵌合していて、さらに、１８０°対称の二箇所の位置から外方に向かって突出形成された突起部１７が、スライド筒部８の内周面に軸方向と平行にキー溝状に形成された直線溝１６と緩くはめ合わされている。その結果、スライドねじ部材１２は、その軸方向にスライド自在であって軸周りには回転しない。なお、図７においては、カテーテル本体１とその内部に通されている操作ワイヤー４及びリード線１４等の図示が省略されている。【００１７】  図５に戻って、１８は、スライドねじ部材１２の雄ねじ部と螺合する雌ねじ部が後側寄り半部に形成された略円筒状の回転操作ねじ部材である。Ｓがその螺合部である。回転操作ねじ部材１８の中間部分の外周部には鍔状部１９が突出形成されていて、カテーテル本体保持ハンドル６に螺合固定された抜け止めナット２０により鍔状部１９が前方に移動しないように規制されている。その結果、回転操作ねじ部材１８は、カテーテル本体保持ハンドル６に対して軸周りに回転可能で軸方向には移動しない状態で、カテーテル本体保持ハンドル６に保持されている。【００１８】  そのような回転操作ねじ部材１８の最先端部分はカテーテル本体保持ハンドル６の先端から前方に突出している。１８ａがその先端突出部であり、カテーテル本体保持ハンドル６の外部から単独で回転操作することができる。ただし、この実施の形態では、回転操作ねじ部材１８の先端突出部１８ａに折れ止め部材１０が着脱自在に取り付けられていて、折れ止め部材１０を軸周りに回転操作することで、回転操作ねじ部材１８を回転させることができる。【００１９】  ２２は、折れ止め部材１０が回転操作ねじ部材１８から抜け出さないように両者を着脱自在に係合させる係��部であり、折れ止め部材１０の後端部内面全周に形成された内方突起が回転操作ねじ部材１８の外面全周に形成された溝と係合しており、折れ止め部材１０を弾性変形させて回転操作ねじ部材１８の先端突出部１８ａに着脱させることができる。ただし、その他の構成を用いて着脱自在に係合させてもよい。【００２０】  このように構成された実施の形態の心臓カテーテルにおいて、例えば繰り返し使用されたり製造時の調整不足等によって操作ワイヤー４に弛みが発生した場合には、折れ止め部材１０を指先で摘んで、矢印Ｒで示されるように回転操作ねじ部材１８を軸周りに回転させる。すると、回転操作ねじ部材１８と螺合するスライドねじ部材１２が軸周りに回転することなく軸方向に移動するので、スライドねじ部材１２に固定されたカテーテル本体１の基端がカテーテル本体保持ハンドル６に対して移動する。【００２１】  その結果、カテーテル本体保持ハンドル６と操作ワイヤー保持ハンドル７とを相対的に動かさない状態において、カテーテル本体１の基端に対するカテーテル本体保持ハンドル６の連結位置と操作ワイヤー４の基端に対する操作ワイヤー保持ハンドル７の連結位置との間の間隔Ｌを、両保持ハンドル６，７の外部からの簡単な操作で操作ワイヤー４に弛みが無くなる任意の長さまで伸ばして、湾曲部２を正常に屈曲させることができる状態にすることができる。このようにして、カテーテル本体１の基端が、連結位置を調整できる状態でスライド筒部８に対し連結されている。【００２２】  図１はスライド筒部８を単体で示しており、操作ワイヤー保持ハンドル７内に軸方向にスライド自在に嵌合する後半部分（図において上半部分）の中間部分には、軸方向と平行に真っ直ぐにガイドスリット２５が形成されている。ガイドスリット２５は、スライド筒部８の軸周りの１８０°対称位置に一対形成されている。
ガイドスリット２５内には、ワイヤー固定板１５がガイドスリット２５内に緩く嵌め込まれていて、ワイヤー固定板１５がガイドスリット２５に沿ってガイドスリット２５に対し相対的に自由にスライドすることができる。前述の図６に示されるように、全体として略板状に形成されたワイヤー固定板１５は、その両端寄りの部分がガイドスリット２５内に緩く通される薄肉部１５ａになっている。【００２３】  また、ガイドスリット２５と係合する部分の内側に隣接する部分には、ガイドスリット２５内に入ることのできない高さの段部１５ｂがワイヤー固定板１５に形成されて、ワイヤー固定板１５がスライド筒部８に対してガタつかないようになっている。【００２４】  スライド筒部８には、ワイヤー固定板１５が通過できない幅の幅狭部２６がガイドスリット２５に対し長手方向に連続してその後側（図において上側）に形成されている。したがって、ワイヤー固定板１５のスライド範囲はガイドリット２５の全長Ｍに規制され、ストッパ等として何ら部品を設けることなくワイヤー固定板１５を一定の範囲内で良好にスライド動作させることができる。【００２５】  組み立て作業時にワイヤー固定板１５をガイドスリット２５内に嵌め込む際には、図２に示されるように、スライド筒部８を弾性変形させて幅狭部２６をワイヤー固定板１５が通過できる状態に広げる。ワイヤー固定板１５がガイドスリット２５内に入った状態になると、スライド筒部８が元の形状に戻るので、ワイヤー固定板１５がガイドスリット２５内でスライド自在であってガイドスリット２５内から抜け出さない図１に示される状態になる。【００２６】  このように幅狭部２６によりワイヤー固定板１５がガイドスリット２５内から抜け出さなくなる機能は、完成品におけるストッパとして用いることができるだけでなく、ガイドスリット２５内に一旦組み込まれたワイヤー固定板１５が、組立工程中や組立工程間の部組みユニットの移動等の際にガイドスリット２５内から脱落しないようになる点でも極めて有効である。【００２７】  図１及び図２に示されるように、スライド筒部８には、組み立て作業時にワイヤー固定板１５をガイドスリット２５の反対側から幅狭部２６内に案内するための案内路２７が後端部に開口して形成され、案内路２７と幅狭部２６との境界部は滑らかな斜面２８になっている。なお、このような幅狭部２６と案内路２７が一対のガイドスリット２５の各々に連続して形成されている。【００２８】  図５に戻って、このように本実施の形態では、カテーテル本体１の基端が連結された筒状部材であるスライド筒部８にガイドスリット２５が形成され、ガイドスリット２５に沿って相対的にスライド自在なスライド片であるワイヤー固定板１５（この実施の形態では操作ワイヤー保持ハンドル７に固定されている）に操作ワイヤー４の基端が連結されている。【００２９】  その結果、図８に示されるように、湾曲部２を屈曲させる操作時にはワイヤー固定板１５がガイドスリット２５内で相対的にスライド動作し、そのスライド作動部分にはガイドスリット２５とワイヤー固定板１５以外に他の部材が何ら用いられていないので、良好に動作するだけでなく、シンプルな構成で簡単に組み立てることができ、組���立て後に故障のおそれがない等の優れた効果が得られる。【００３０】  図９は本発明の第２の実施の形態を示しており、前述の第１の実施の形態のスライド筒体８に相当する円筒状のガイド筒体８′（本発明の筒状部材）が操作ワイヤー保持ハンドル７の先端側に一体に突出形成されて、そのガイド筒体８′の外周面に沿ってカテーテル本体保持ハンドル６がスライド自在に配置されている。そして、ガイド筒体８′の最先端部分に折れ止め部材１０が取り付けられている。操作ワイヤー保持ハンドル７に対する操作ワイヤー４の固定構造は第１の実施の形態と同じである。【００３１】  ガイド筒体８′の中間部分には、一対のガイドスリット２５が１８０°対称の位置に長手方向に真っ直ぐに最先端まで形成されている。そして、カテーテル本体１の基端が固着されたスライドねじ部材１２′（本発明のスライド片）が、板状に形成されてその先寄りの部分の突端外周面に雄ねじが形成され、ガイドスリット２５内にスライド自在に係合している。また、Ｃ−Ｃ線で切断した状態の断面図である図１０にも示されるように、スライドねじ部材１２′の後寄りの部分の突起部１７′が、カテーテル本体保持ハンドル６の内周面に軸方向と平行にキー溝状に形成された直線溝１６′に緩くはめ合わされて、スライドねじ部材１２′とカテーテル本体保持ハンドル６とが共に軸方向にスライド自在であって軸周りには回転しないようになっている。【００３２】  図９に示される１８′は、カテーテル本体保持ハンドル６に対して軸周りには回転自在にただし軸方向への相対的移動は規制された状態で係合する略円筒状の回転操作ねじ部材であり、ガイド筒体８′の外周面に沿って回転及びスライド自在である。そして、Ｄ−Ｄ線で切断した状態の断面図である図１１にも示されるように、回転操作ねじ部材１８′の内周面に形成された雌ねじ部がスライドねじ部材１２′の雄ねじ部と螺合している。Ｓがその螺合部である。図９に示されるように、回転操作ねじ部材１８′の外周部には、操作輪３８が固定ビス３９で一体的に固定されている。３２は、回転操作ねじ部材１８′の先寄りの部分の外装カバー、３３は、ガイドスリット２５の先寄りの部分の外装カバーである。【００３３】  このように構成された実施の形態においては、図９に示されるように、カテーテル本体保持ハンドル６と操作ワイヤー保持ハンドル７とを相対的に軸方向にスライド操作して、カテーテル本体保持ハンドル６に対して操作ワイヤー保持ハンドル７を後方（上方）に引く（操作ワイヤー保持ハンドル７側から見れば、カテーテル本体保持ハンドル６を前方（下方）に押し出す）操作を行うことにより、カテーテル本体１に対して操作ワイヤー４が後方に牽引されて湾曲部２が屈曲し、それと逆の操作を行えば、湾曲部２が二点鎖線で示される真っ直ぐな状態に戻る。【００３４】  そして、操作輪３８を回転操作して回転操作ねじ部材１８′を軸周りに回転させると、回転操作ねじ部材１８′と螺合するスライドねじ部材１２′が軸周りに回転することなく軸方向に移動するので、第１の実施の形態と同様に、スライドねじ部材１２′に固定されたカテーテル本体１の基端がカテーテル本体保持ハンドル６に対して移動し、カテーテル本体保持ハン���ル６と操作ワイヤー保持ハンドル７とを相対的に動かさない状態において、カテーテル本体１の基端に対するカテーテル本体保持ハンドル６の連結位置と操作ワイヤー４の基端に対する操作ワイヤー保持ハンドル７の連結位置との間の間隔を、両保持ハンドル６，７の外部からの簡単な操作で操作ワイヤー４に弛みが無くなる任意の長さまで伸ばして、湾曲部２を正常に屈曲させることができる状態にすることができる。【００３５】  図１２は、上述のような第２の実施の形態の操作ハンドル部５に用いられているガイド筒体８′を単体で示しており、その中間部分に形成されたガイドスリット２５の先側（図において下側）に連続して、スライドねじ部材１２′が通過できない幅の幅狭部２６が形成され、さらに、ガイド筒体８′の下端に開口する案内路２７が幅狭部２６に連結して形成されている。２８は斜面である。【００３６】  そのようなガイドスリット２５、幅狭部２６及び案内路２７は、第１の実施の形態と同様にガイド筒体８′の軸周りの１８０°対称位置に一対形成されており、そのガイドスリット２５内においてのみスライド片であるスライドねじ部材１２′がスムーズにスライド動作することができる。
そして、第１の実施の形態と同様に、そのスライド作動部分にはガイドスリット２５とスライドねじ部材１２′以外に他の部材が何ら用いられていないので、良好に動作するだけでなく、シンプルな構成で簡単に組み立てることができ、組み立て後に故障のおそれがない等の優れた効果が得られる。【００３７】  図１３は本発明の第３の実施の形態を示しており、第２の実施の形態とほぼ同じ構造の操作ハンドル部５であるが、第２の実施の形態のカテーテル本体保持ハンドル６と操作ワイヤー保持ハンドル７とを逆にして、使用者が手で握り込んで保持する筒状体がカテーテル本体保持ハンドル７′になっていて、カテーテル本体保持ハンドル７′を握った手の親指の腹で押し引き操作し易い厚肉の略円盤状体が操作ワイヤー保持ハンドル６′になっている。ガイド筒体８′（本発明の筒状部材）はカテーテル本体保持ハンドル７′の先端部分に一体に形成されていて、その外周部を操作ワイヤー保持ハンドル６′が前後方向にスライドする。【００３８】  そのようなガイド筒体８′の最先端部に固定的に取り付けられたカテーテル本体固定部材３４にカテーテル本体１の基端が固着され、第２の実施の形態と同様の構成のスライドねじ部材１２′（本発明のスライド片）に操作ワイヤー４の基端が固定されている。その他の構成は第２の実施の形態と同様なので、第２の実施の形態と同じ符号を付してその説明は省略する。【００３９】  このように構成された実施の形態においては、操作ワイヤー保持ハンドル６′とカテーテル本体保持ハンドル７′とを相対的に軸方向にスライド操作して、カテーテル本体保持ハンドル７′に対して操作ワイヤー保持ハンドル６′を後方（上方）に引く（操作ワイヤー保持ハンドル６′側から見れば、カテーテル本体保持ハンドル７′を前方（下方）に押し出す）操作を行うことにより、カテーテル本体１に対して操作ワイヤー４が後方に牽引されて湾曲部２が屈曲し、それと逆の操作を行えば、湾曲部２が二点鎖線で示される真っ直ぐな状態に戻る。【００４０】  そして、操作輪３８を回転操作して回転操作ねじ部材１８′を軸周りに回転させると、回転操作ねじ部材１８′と螺合するスライドねじ部材１２′が軸周りに回転することなく軸方向に移動するので、スライドねじ部材１２′に固定された操作ワイヤー４の基端が操作ワイヤー保持ハンドル６′に対して移動し、カテーテル本体保持ハンドル７′と操作ワイヤー保持ハンドル６′とを相対的に動かさない状態において、カテーテル本体１の基端に対するカテーテル本体保持ハンドル７′の連結位置と操作ワイヤー４の基端に対する操作ワイヤー保持ハンドル６′の連結位置との間の間隔を、両保持ハンドル６′，７′の外部からの簡単な操作で操作ワイヤー４に弛みが無くなる任意の長さまで伸ばして、湾曲部２を正常に屈曲させることができる状態にすることができる。【００４１】  図１４は、上述のような第３の実施の形態の操作ハンドル部５に用いられているガイド筒体８′を単体で示しており、ガイドスリット２５、幅狭部２６及び案内路２７が前述の第２の実施の形態と同様に形成されていて、第２の実施の形態と同様の作用効果を得ることができる。
【図面の簡単な説明】
【００４２】
【図１】本発明の第１の実施の形態のスライド筒部単体の側面図。
【図２】本発明の第１の実施の形態のスライド筒部のガイドスリット内にワイヤー固定板を組み付ける状態の側面図。
【図３】本発明の第１の実施の形態の心臓カテーテルの全体構成を示す外観図。
【図４】本発明の第１の実施の形態の心臓カテーテルの湾曲部を屈曲させる操作が行われた状態の外観図。
【図５】本発明の第１の実施の形態の心臓カテーテルの操作ハンドル部の側面断面図。
【図６】本発明の第１の実施の形態の図５におけるＡ−Ａ線で切断した状態の断面図。
【図７】本発明の第１の実施の形態の図５におけるＢ−Ｂ線で切断した状態の断面図。
【図８】本発明の第１の実施の形態の心臓カテーテルの湾曲操作状態の操作ハンドル部の側面断面図。
【図９】本発明の第２の実施の形態の心臓カテーテルの側面断面図。
【図１０】本発明の第２の実施の形態の図９におけるＣ−Ｃ線で切断した状態の断面図。
【図１１】本発明の第２の実施の形態の図９におけるＤ−Ｄ線で切断した状態の断面図。
【図１２】本発明の第２の実施の形態のガイド筒体単体の側面図。
【図１３】本発明の第３の実施の形態の心臓カテーテルの側面断面図。
【図１４】本発明の第３の実施の形態のガイド筒体単体の側面図。
【符号の説明】
【００４３】１…カテーテル本体
２…湾曲部
４…操作ワイヤー
５…操作ハンドル部
６，７′…カテーテル本体保持ハンドル
７，６′…操作ワイヤー保持ハンドル
８…スライド筒部（筒状部材）
８′…ガイド筒体（筒状部材）
１２…スライドねじ部材
１２′…スライドねじ部材（スライド片）
１５…ワイヤー固定板（スライド片）
１５ａ…薄肉部
１５ｂ…段部
２５…ガイドスリット
２６…幅狭部
２７…案内路
【図１】
2008104831.tif 000003
【図２】
2008104831.tif 000004
【図３】
2008104831.tif 000005
【図４】
2008104831.tif 000006
【図５】
2008104831.tif 000007
【図６】
2008104831.tif 000008
【図７】
2008104831.tif 000009
【図８】
2008104831.tif 000010
【図９】
2008104831.tif 000011
【図１０】
2008104831.tif 000012
【図１１】
2008104831.tif 000013
【図１２】
2008104831.tif 000014
【図１３】
2008104831.tif 000015
【図１４】
2008104831.tif 000016